(57)【要約】      （修正有）【課題】構造が簡単で、容易に設置でき、コストの低減を図ることができるとともに、地震の揺れ動きが生じても防水シートが外方へ垂れ下がって見苦しくなったり、損傷するのを効率よく阻止することができる屋上用目地カバー装置を提供する。【解決手段】一方の建物のパラペット４の上部に取付けられたほぼクランク状の水切りカバー８と、他方の建物のパラペット４Ａに取り付けられた側板１１を有する山形状の目地カバー１２と、この目地カバー１２を移動可能に支持する支持部材と、水切りカバー８と目地カバー１２の側板１１間に張渡された防水シート支持ワイヤー３９を用いた複数個の防水シート支持装置１８と、一端が水切りカバー８に固定され、他端部が目地カバー１２の側板１１に固定された複数個の防水シート支持装置１８の防水シート支持ワイヤー３９に支持された防水シート１５とで屋上用目地カバー装置１を構成している。【選択図】図２
2010242341.tif 000002
【特許請求の範囲】
【請求項１】
目地部側が上方へ突出するように、少なくとも一方の建物のパラペットの上部に取付けられたほぼクランク状の水切りカバーと、この水切りカバーの上部を左右方向に移動可能で、前記目地部を覆うように他方の建物のパラペットあるいは他方の建物の外壁面に取付けられた側板を有する山形状あるいはクランク状の目地カバーと、この目地カバーを前記水切りカバーに左右方向に移動可能に支持する支持部材と、前記水切りカバーと前記目地カバーの側板間に所定間隔で常時所定の引張り力が付与された状態で張渡された防水シート支持ワイヤーを用いた複数個の防水シート支持装置と、一端が前記水切りカバーの上部寄りの部位に固定され、他端部が地震の左右方向の揺れ動きを吸収できる遊びを持って、前記目地カバーの側板の上部寄りの部位に固定された、前記複数個の防水シート支持装置の防水シート支持ワイヤーに支持された防水シートとからなることを特徴とする屋上用目地カバー装置。
【請求項２】
複数個の防水シート支持装置は一端部が水切りカバーの中央部寄りの部位に固定され、他端部が目地カバーの側板の中央部寄りの部位に取付けられたガイドローラを通過する防水シート支持ワイヤーと、この防水シート支持ワイヤーの他端部に取付けられた、該防水シート支持ワイヤーを常時所定の引張り力で引張られるように目地カバーに取付けられた付勢スプリングあるいは付勢スプリングが用いられたワイヤー巻取り装置とで構成されていることを特徴とする屋上用目地カバー装置。
【請求項３】
複数個の防水シート支持装置は一端部が目地カバーの側板の中央部寄りの部位に固定され、他端部が水切りカバーの中央部寄りの部位を通過する防水シート支持ワイヤーと、この防水シート支持ワイヤーの他端部に取付けられた、該防水シート支持ワイヤーを常時所定の引張り力で引張られるように他方の建物の水切りカバーあるいは他方の建物の外壁面に取付けられた付勢スプリングあるいは付勢スプリングが用いられたワイヤー巻取り装置とで構成されていることを特徴とする請求項１記載の屋上用目地カバー装置。
【請求項４】
水切りカバーは両方の建物のパラペットの上部に取付けられ、この両方の水切りカバーに前後左右方向にスライド移動可能に支持された複数個の梁状の支持部材によって目地カバーを支持していることを特徴とする請求項１記載の屋上用目地カバー装置。
【発明の詳細な説明】
【技術分野】
【０００１】
本発明は目地部を介して建てられた左右の建物の屋上部の目地部を覆う屋上用目地カバー装置に関するに関する。
【背景技術】
【０００２】
従来の屋上用目地カバー装置は、目地カバーを支持するパラペットの上部に固定された水切りカバーと目地カバーの側板との間に伸縮するように複数個の支持バーに複数個の吊り下げ具を用いてＵ字状に曲げられた防水シートで覆って、目地部内への水の浸入を阻止している。
【０００３】
このように構成された屋上用目地カバー装置は目地部への水の浸入を防水シートで阻止することができるが、防水シートを複数個の支持バーと、この複数個の支持バーにスライド移動可能に取付けられた防水シートを所定間隔で吊り下げる複数個の吊り下げ具を用いているため、構造が複雑で、取付けに手数がかかり、コスト高になるという欠点があった。
【先行技術文献】
【特許文献】
【０００４】
【特許文献１】特許第３８１３８７８号
【発明の概要】
【発明が解決しようとする課題】
【０００５】
本発明は以上のような従来の欠点に鑑み、構造が簡単で、容易に設置でき、コストの低減を図ることができるとともに、地震の揺れ動きが生じても防水シートが外方へ垂れ下がって見苦しくなったり、損傷するのを効率よく阻止することができる屋上用目地カバー装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部側が上方へ突出するように、少なくとも一方の建物のパラペットの上部に取付けられたほぼクランク状の水切りカバーと、この水切りカバーの上部を左右方向に移動可能で、前記目地部を覆うように他方の建物のパラペットあるいは他方の建物の外壁面に取付けられた側板を有する山形状あるいはクランク状の目地カバーと、この目地カバーを前記水切りカバーに左右方向に移動可能に支持する支持部材と、前記水切りカバーと前記目地カバーの側板間に所定間隔で常時所定の引張り力が付与された状態で張渡された防水シート支持ワイヤーを用いた複数個の防水シート支持装置と、一端が前記水切りカバーの上部寄りの部位に固定され、他端部が地震の左右方向の揺れ動きを吸収できる遊びを持って、前記目地カバーの側板の上部寄りの部位に固定された、前記複数個の防水シート支持装置の防水シート支持ワイヤーに支持された防水シートとで屋上用目地カバー装置を構成している。
【発明の効果】
【０００８】
以上の説明から明らかなように、本発明にあっては次に列挙する効果が得られる。
【０００９】
（１）水切りカバーと目地カバーの側板間に所定間隔で常時所定の引張り力が付与された状態で張渡された防水シート支持ワイヤーを用いた複数個の防水シート支持装置と、一端が水切りカバーの上部寄りの部位に固定され、他端部が地震の左右方向の揺れ動きを吸収できる遊びを持って、目地カバーの側板の上部寄りの部位に固定された複数個の防水シート支持装置の防水シート支持ワイヤーに支持された防水シートとからなるで、防水シートの両端部を水切りカバーと目地カバーの側板に固定し、複数個の防水シート支持装置の防水シート支持ワイヤーの上に位置させるだけで設置することができる。
したがって、防水シートの設置作業が容易で、従来のように多数個の吊り下げ具が不要で、コストの低減を図ることができる。
【００１０】
（２）前記（１）によって、地震で目地部が狭くなるような揺れ動きが生じても、防水シートは複数個の防水シート支持ワイヤーに支持されているため、下方へ垂れ下がり、目地カバーの側板の下部から外方へ突出して見苦しくなったり、水切りカバーの端部や目地カバーの側板の下部と接触して損傷したりするのを確実に防止することができる。
【００１１】
（３）前記（１）により、複数個の防水シート支持ワイヤーを常時所定の引張り力で引張る複数個の防水シート支持装置を用いるので、従来のように水切りカバーと目地カバーの側板間の移動距離以上長い防水シート支持バーが不要で、コストの低減と、防水シート支持バーの収納スペースの確保に苦労することなく設置することができる。
【００１２】
（４）請求項２、３、４も前記（１）〜（３）と同様な効果が得られる。
【図面の簡単な説明】
【００１３】
【図１】本発明を実施するための第１の形態の一部破断平面図。
【図２】図１の２−２線に沿う断面図。
【図３】本発明を実施するための第１の形態の取付け金具の説明図。
【図４】本発明を実施するための第１の形態の水切りカバーの説明図。
【図５】本発明を実施するための第１の形態の目地カバー支持金具の説明図。
【図６】本発明を実施するための第１の形態の目地カバーの説明図。
【図７】本発明を実施するための第１の形態の支持バーの取り付け状態を示す説明図。
【図８】本発明を実施するための第１の形態の防水シート支持装置の説明図。
【図９】本発明を実施するための第１の形態の目地部が広くなった動作説明図。
【図１０】本発明を実施するための第１の形態の目地部が狭くなった動作説明図。
【図１１】本発明を実施するための第２の形態の一部破断平面図。
【図１２】図１１の１２−１２線に沿う断面図。
【図１３】本発明を実施するための第２の形態の防水シート支持装置の説明図。
【図１４】本発明を実施するための第３の形態の一部破断平面図。
【図１５】図１４の１５−１５線に沿う断面図。
【図１６】本発明を実施するための第３の形態の防水シート支持装置の説明図。
【図１７】本発明を実施するための第４の形態の一部破断平面図。
【図１８】図１７の１８−１８線に沿う断面図。
【図１９】本発明を実施するための第４の形態の目地カバー支持金具の説明図。
【図２０】本発明を実施するための第５の形態の一部破断平面図。
【図２１】図２０の２１−２１線に沿う断面図。
【図２２】本発明を実施するための第５の形態の支持部材の説明図。
【図２３】本発明を実施するための第6の形態の一部破断平面図。
【図２４】図２３の２４−２４線に沿う断面図。
【図２５】図２３の２５−２５線に沿う断面図。
【発明を実施するための形態】
【００１４】
以下、図面に示す本発明を実施するための形態により、本発明を詳細に説明する。
【００１５】
図１ないし図１０に示す本発明を実施するための第１の形態において、１は目地部２を介して建てられた左右の建物３、３の屋上のパラペット４、４Ａ間の目地部２を覆う本発明の屋上用目地カバー装置で、この屋上用目地カバー装置１は前記左右の建物３、３の一方の目地部側の一方のパラペット４の上部に複数本のタッピングビス５等によって固定された上面が前記目地部側が順次高くなるように形成された所定間隔で複数個配置される取付け金具６と、この複数個の取付け金具６に固定された目地部側が上方に突出する支持部７を有するほぼクランク形状の水切りカバー８と、この水切りカバー８の支持部７の上部寄りの部位に所定間隔で形成された複数個の支持孔９と、前記左右の建物３、３の目地部側の他方のパラペット４Ａの上部に複数本のタッピングビス５等によって、前記水切りカバー８上に位置する先端部が上下方向に回動する、所定間隔で複数個配置された目地カバー支持金具１０と、この複数個の目地カバー支持金具１０を覆うように該目地カバー支持金具１０に固定された両方に側板１１、１１を有する山形状の目地カバー１２と、この目地カバー１２の一方の側板１１の内側面に先端部が前記水切りカバー８の支持孔９を通過して、前記目地部のほぼ中央部に位置する前後方向に回動可能にする支持バー取付け金具１３を介して取付けられた複数個の支持部材としての支持バー１４、１４、１４と、一端部が前記水切りカバー８の上部寄りの部位にバー部材１６を介して複数本のビス１７で固定され、他端部が地震の揺れ動きが生じても損傷しない遊びを持って、前記目地カバー１２の側板１１の上部寄りの部位にバー部材１６を介して複数本のビス１７で固定された防水シート１５と、この防水シート１５が下方へ垂れ下がるのを防止できるように所定間隔で支持する複数個の防水シート支持装置１８と、前記一方のパラペット４と前記水切りカバー８の反目地部側の下方へ突出する部位との間に充填された防水用のシール剤２１と、前記他方のパラペット４Ａと前記目地カバー１２の他方の側板１１の下部との間に充填された防水用のシール剤２２とで構成されている。
【００１６】
前記複数個の取付け金具６は図３に示すように、前記一方のパラペット４の上面に複数本のビス５等によって固定される板状の固定片２３と、この固定片２３の一側面より上方へ突出し、かつ上面が傾斜面２４となるように直角に折り曲げられた支持片２５と、この支持片２５の上端部より上方へ突出するように形成された上部取付け片２６と、前記支持片２５の下端部より下方へ突出するように形成された下部取付け片２７とで構成されている。
【００１７】
前記水切りカバー８は図４に示すように、前記複数個の取付け金具６の支持片２５に支持されるステンレス板、ステンレス合金等で形成された水切りカバー本体２８と、この水切りカバー本体２８一端部より上方に突出するように一体形成された、前記複数個の取付け金具６の上部取付け片２６にビス５等によって取付けられる上方に複数個の支持孔９を有する支持部７と、前記水切りカバー本体２８の他端部より下方へ突出するように一体形成された、前記複数個の取付け金具６の下部取付け片２７にビス５等によって取付けられる下部取付け片２９とで構成されている。
【００１８】
前記目地カバー支持金具１０は図５に示すように、前記他方のパラペット４Ａの上面に複数本のビス５によって固定されるアングル状の固定金具３０と、この固定金具３０に枢支ピン３１で後端下部が枢支された先端部が前記水切りカバー８上に位置して上下方向に回動する、上部が山形状でアングル状の目地カバー支持金具本体３２と、この目地カバー支持金具本体３２の先端部を直角に折り曲げて形成した目地カバー取付け片３３とで構成されている。
【００１９】
前記目地カバー１２は図６に示すように、ステンレス板、ステンレス合金等で前記複数個の目地カバー取付け金具１０の上部を覆う山形状の目地カバー本体３４と、この目地カバー本体３４の両端部より下方に突出するように一体形成された両側板１１、１１と、前記目地カバー本体３４の両端部に出没可能に設けられた小口蓋３５、３５とで構成されている。
【００２０】
前記支持バー取付け金具１３に先端部が前後方向に回動可能に取付けられた支持バー１４は、図７に示すように前記支持孔９に遊びを介して挿入される角柱、角パイプ状に形成された支持バー１４と、この支持バー１４の後端部を枢支ピン３６で先端部が前後方向に回動可能に枢支するコ字状の支持バー取付け金具本体３７とで構成されている。
【００２１】
前記複数個の防水シート支持装置１８は前記目地カバー１２の一方の側板１１の前記防水シート１５の取付部の下部位置に所定間隔で取付けられた複数個のガイドローラ３８と、一端部がこの複数個のガイドローラ３８と対向する部位の前記水切りカバー８に固定され、他端部が該複数個のガイドローラ３８を通過する前記防水シート１５を支持する複数個の防水シート支持ワイヤー３９と、この防水シート支持ワイヤー３９の他端部に一端部が取付けられた、該防水シート支持ワイヤー３９に所定の引張り力を付与する他端部が前記目地カバー１２の一方の側板１１に固定された付勢スプリング４０とで構成されている。
【００２２】
上記構成の屋上用目地装置１は、地震によって左右の建物３、３の目地部２が広くなったり、狭くなるように揺れ動いた場合、図９および図１０に示すように複数個の支持バー１４が水切りカバー８の支持部７に形成された支持孔９をスライド移動して目地カバー１２の損傷を防止するとともに、防水シート１５は複数個の防水シート支持ワイヤー３９に支持された状態で遊び部分が伸縮して、その揺れ動きを吸収する。
【００２３】
左右の建物３、３が異なる前後方向に揺れ動いた場合には、複数個の支持バー１４の先端部が前後方向に回動することにより、その揺れ動きを吸収するとともに、防水シート１５は複数個の防水シート支持ワイヤー３９に支持された状態を保って、その揺れ動きを吸収する。
【００２４】
左右の建物３、３が異なる上下方向に揺れ動いた場合には、目地カバー支持具１０の目地カバー支持金具本体３２の上下方向の回動、複数個の支持バー１４と支持孔９との遊びによって、その揺れ動きを吸収する。
[発明を実施するための異なる形態]
【００２５】
次に、図１１ないし図２５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２６】
図１１ないし図１３に示す本発明を実施するための第２の形態において、前記本発明を実施するための第１の形態と主に異なる点は、防水シート支持ワイヤー３９の一端部を目地カバー１２の一方の側板１１に固定するとともに、他端部を水切りカバー８に取付けられたガイドローラ３８、付勢スプリング４０を介して該水切りカバー８に固定した複数個の防水シート支持装置１８Ａを用いた点で、このような複数個の防水シート支持装置１８Ａを用いて構成した屋上用目地カバー装置１Ａにしても、前記本発明を実施するための第１の形態と同様な作用効果が得られる。
【００２７】
図１４ないし図１６に示す本発明を実施するための第３の形態において、前記本発明を実施するための第１の形態と主に異なる点は、コイルスプリング４１で巻き取り方向に常時付勢された軸４２に、防水シート支持ワイヤー３９を固定した防水シート支持ワイヤー巻取り具４３を水切りカバー８に固定した複数個の防水シート支持装置１８Ｂを用いた点で、このような複数個の防水シート支持装置１８Ｂを用いて構成した屋上用目地カバー装置１Ｂにしても、前記本発明を実施するための第１の形態と同様な作用効果が得られるとともに、防水シート支持ワイヤー巻取り具４３によって防水シート支持ワイヤー３９が長い距離で配置されるのを防止し、スッキリとした状態で取付けることができる。
なお、前記複数個の防水シート支持装置１８Ｂの防水シート支持ワイヤー３９を水切りカバー８に形成したワイヤー挿入孔を通過させ目地部側の水切りカバー８に固定した防水シート支持ワイヤー巻取り具４３に接続してもよい。
【００２８】
図１７ないし図１９に示す本発明を実施するための第４の形態において、前記本発明を実施するための第１の形態と主に異なる点は、上面が傾斜面４４の目地カバー支持金具本体３２Ａに枢支ピン３１で枢支された固定金具３０を他方の建物３の目地部側の外壁面３ａに複数本のビス５によって取付けた複数個の目地カバー支持金具１０Ａを用いるとともに、該複数個の目地カバー支持金具１０Ａに複数本のビス５によって固定されるほぼクランク状の目地カバー１２Ａを用いた点で、このような複数個の目地カバー支持金具１０Ａと目地カバー１２Ａを用いて構成した屋上用目地カバー装置１Ｃにしても、前記本発明を実施するための第１の形態と同様な作用効果が得られる。
【００２９】
図２０ないし図２２に示す本発明を実施するための第５の形態において、前記本発明を実施するための第１の形態と主に異なる点は、目地カバー支持金具１０の水切りカバー８の位置する部位に左右方向に長い長孔４４を形成するとともに、該長孔４４内に挿入されたコ字状のガイドバー４５を水切りカバー８の目地カバー支持金具１０が位置する上部に取付けた支持部材４６を用いた点で、このような支持部材４６を用いて構成した屋上用目地カバー装置１Ｄにしても、前記本発明を実施するための第１の形態と同様な作用効果が得られるとともに、複数個の支持部材４６、４６、４６が不要となり、コストの低減を図ることができる。
【００３０】
図２３ないし図２５に示す本発明を実施するための第６の形態において、前記本発明を実施するための第１の形態と主に異なる点は、左右の建物３、３の屋上のパラペット４、４Ａにそれぞれ固定状態で設けられた複数個の取付け金具６に目地部２側が上方に突出する支持部７を有するほぼクランク形状の水切りカバー８、８を固定するとともに、この水切りカバー８、８の支持部７、７の上部に取り付けられた複数個のガイドバー４５によって、前後左右方向にスライド移動可能に支持された複数個の梁状の支持部材４７によって目地カバー１２を支持し、該目地カバー１２の両端部に下方へ垂れ下がるのを防止できるように所定間隔で支持する防水シート支持ワイヤー巻取り具４３を使用した複数個の防水シート支持装置１８Ｂ、１８Ｂを用いて防水シート１５、１５を支持できるようにした点で、このよう構成した屋上用目地カバー装置１Ｅにしても、前記本発明を実施するための第１の形態と同様な作用効果が得られるとともに、所定間隔で防水シート１５を支持する防水シート支持ワイヤー巻取り具４３の付勢力を、常時目地カバー１２の中央部を目地部の中央部に位置させる力として使用することができる。
【産業上の利用可能性】
【００３１】
本発明は屋上用目地カバー装置を製造する産業で利用される。
【符号の説明】
【００３２】
１、１Ａ、１Ｂ、１Ｃ、１Ｄ、１Ｅ：屋上用目地カバー装置、
２：目地部、                  ３：建物、
４：一方のパラペット、        ４Ａ：他方のパラペット、
５：ビス、                    ６：取付け金具、
７：支持部、                  ８：水切りカバー、
９：支持孔、                  １０、１０Ａ：目地カバー支持金具、
１１：側板、                  １２、１２Ａ：目地カバー、
１３：支持バー取付け金具、    １４：支持バー、
１５：防水シート、            １６：バー部材、
１７：ビス、            
１８、１８Ａ、１８Ｂ：防水シート支持装置、
２１：シール剤、              ２２：シール剤、
２３：固定片、                ２４：傾斜面、
２５：支持片、                ２６：上部取付け片、
２７：下部取付け片、          ２８：水切りカバー本体、
２９：下部取付け片、          ３０：固定金具、
３１：枢支ピン、
３２、３２Ａ：目地カバー支持金具本体、
３３：目地カバー取付け片、    ３４：目地カバー本体、
３５：小口蓋、                ３６：枢支ピン、
３７：取付け金具本体、        ３８：ガイドローラ、
３９：防水シート支持ワイヤー、４０：付勢スプリング、
４１：コイルスプリング、      ４２：軸、
４３：防水シート支持ワイヤー巻取り具、
４４：長孔、                  ４５：ガイドバー、
４６：支持部材、              ４７：支持部材。
【図１】
2010242341.tif 000003
【図２】
2010242341.tif 000004
【図３】
2010242341.tif 000005
【図４】
2010242341.tif 000006
【図５】
2010242341.tif 000007
【図６】
2010242341.tif 000008
【図７】
2010242341.tif 000009
【図８】
2010242341.tif 000010
【図９】
2010242341.tif 000011
【図１０】
2010242341.tif 000012
【図１１】
2010242341.tif 000013
【図１２】
2010242341.tif 000014
【図１３】
2010242341.tif 000015
【図１４】
2010242341.tif 000016
【図１５】
2010242341.tif 000017
【図１６】
2010242341.tif 000018
【図１７】
2010242341.tif 000019
【図１８】
2010242341.tif 000020
【図１９】
2010242341.tif 000021
【図２０】
2010242341.tif 000022
【図２１】
2010242341.tif 000023
【図２２】
2010242341.tif 000024
【図２３】
2010242341.tif 000025
【図２４】
2010242341.tif 000026
【図２５】
2010242341.tif 000027